(57)【特許請求の範囲】
【請求項１】
ビットが嵌入される筒状のツールホルダを工具本体内へ回動可能に設け、前記ツールホルダには、前記ツールホルダの放射方向へ前後移動可能に収納され、前記ツールホルダの軸心方向へ移動することにより、前記嵌入されたビットをツールホルダと一体回転可能にする第１のロック部材を、前記工具本体には、前記工具本体の放射方向へ前後移動可能に収納され、前記工具本体の軸心方向へ移動することにより、前記工具本体に対する前記ツールホルダの回転をロックする第２のロック部材を夫々設ける一方、前記ツールホルダに、前記両ロック部材を同時に前記軸心方向へ押圧する第１のスライド位置と、前記両ロック部材の前記軸心方向への押圧を同時に解除する第２のスライド位置とに夫々移動可能な筒状のスライド部材を一体回転可能に設けて、前記スライド部材のスライド操作により前記両ロック部材の押圧及び解除動作を可能としたことを特徴とする電動工具。
【請求項２】
前記スライド部材は、前記第１のスライド位置と第２のスライド位置との中間位置で、第１のロック部材を押圧した状態で第２のロック部材の押圧のみを解除可能とした請求項１に記載の電動工具。
【請求項３】
前記スライド部材が、第１のスライド位置へ付勢される請求項１又は請求項２に記載の電動工具。
【発明の詳細な説明】
【０００１】
【産業上の利用分野】
本発明は、ビットを着脱自在に装着する電動工具に関するものである。
【０００２】
【従来の技術】
ビットは電動工具の先端へ着脱自在に把持されるが、その種類、例えばタガネ等では、作業がしやすいようにビットの周方向へ適切な角度で装着する必要がある。そこで特公昭５４−２７８０１号公報や特公昭６１−１９３９５号公報には、工具ホルダと出力側の歯車等との間に配置されるクラッチ部材との係脱で、回転のみ伝達されるドリルモード、打撃のみ伝達されるハンマーモード、回転と打撃が同時に伝達されるハンマードリルモードと複数の作動が具備されるハンマードリルにおいて、工具ホルダにクラッチ部材が係合しない空転位置を設けて、装着するビットがタガネのような場合、工具ホルダをその空転位置で回転させて、適切な角度にビットを合わせてから工具ホルダをクラッチ部材や回転抑止部材でロックすることで、ビットの装着後もその角度調整を可能とした構成が開示されている。
【０００３】
【発明が解決しようとする課題】
しかしここでは、工具ホルダへのビットの装着位置と、工具ホルダを空転及びロックさせるクラッチ部材等の操作位置が離れているため、ビットの装着と角度調整との作業が別々となって操作性が良くない。又これは回転と打撃モードが同時或は夫々が単独で選択されるハンマードリルにおいてのみ適当な構成であるから、例えば電動ハンマー等の単一作動を行う工具では、上記操作上の不具合に加え、部品点数の増加もあってコストの問題も生じてしまう。よって単一作動の工具では、工具先端部へチャックやスリーブ等のビットの装着機構のみを採用するに止まるが、この場合所望の角度で正確にビットを装着するのが難しい上、一旦装着するとビットの角度変更ができない構造であるから、大変不便であった。
【０００４】
【課題を解決するための手段】
そこで本発明は、上記ビットの角度調整が装着後も行えるのは勿論、その作業が良好な操作性で行え、而もこれらの構造が少ない部品点数で簡単に構成できる電動工具を提供するもので、その構成は、ビットが嵌入される筒状のツールホルダを工具本体内へ回動可能に設け、前記ツールホルダには、前記ツールホルダの放射方向へ前後移動可能に収納され、前記ツールホルダの軸心方向へ移動することにより、前記嵌入されたビットをツールホルダと一体回転可能にする第１のロック部材を、前記工具本体には、前記工具本体の放射方向へ前後移動可能に収納され、前記工具本体の軸心方向へ移動することにより、前記工具本体に対する前記ツールホルダの回転をロックする第２のロック部材を夫々設ける一方、前記ツールホルダに、前記両ロック部材を同時に前記軸心方向へ押圧する第１のスライド位置と、前記両ロック部材の前記軸心方向への押圧を同時に解除する第２のスライド位置とに夫々移動可能な筒状のスライド部材を一体回転可能に設けて、前記スライド部材のスライド操作により前記両ロック部材の押圧及び解除動作を可能としたことを特徴とするものである。
又前記スライド部材を、前記第１のスライド位置と第２のスライド位置との中間位置で、第１のロック部材を押圧した状態で第２のロック部材の押圧のみを解除可能とすることができる。
更に前記スライド部材を、第１のスライド位置へ付勢されるものとすることができる。
【０００５】
【作用】
ビットをツールホルダへ嵌入し、スライド部材を移動させて第１のロック部材をツールホルダの軸心方向へ押圧させると、ビットはツールホルダと一体回転可能となる。ここでビットの角度を調整する場合は、スライド部材を移動させて第２のロック部材の押圧を解除する解除動作すれば、ツールホルダの回転がフリーとなるから、ビットの任意の角度に回転させて、再びスライド部材の移動で第２のロック部材をツールホルダの軸心方向へ押圧させる。これらのロック部材の操作は共通のスライド部材のみで行えるから操作性は良く、部品点数も少なくて済む。
又スライド部材を第１のスライド位置と第２のスライド位置との中間位置で、第１のロック部材を押圧した状態で第２のロック部材の押圧のみを解除可能とすると、第２のロック部材の押圧解除時には、そのままスライド部材を回転させればツールホルダとビットを回転させることができるから、角度調整の操作がより良好となる。
更にスライド部材を第１のスライド位置へ付勢されるものとすると、ビットの装着と角度変更が夫々スライド部材の一方向へのスライドによって行えるものとなり、ここでも操作性の向上が期待できる。
【０００６】
【実施例】
以下本発明の実施例を図面に基づいて説明する。
図１は電動ハンマーの一部縦断面図で、電動ハンマー１には、前方側（図の左側）からツールホルダサポート２とバレル３が同軸にボルトで連結され、バレル３内のシリンダ４には、打撃子５とピストン６とが収納される。このピストン６は、電動ハンマー１の後方に内蔵される図示しないモータによりクランク機構を介して往復動し、空気室７を介して打撃子５を往復動させるもので、打撃子５は後方側をツールホルダサポート２へ回動自在に嵌入される長筒状のツールホルダ８内へ前後移動可能に収納された中間子９を打撃する。
又前記ツールホルダ８とシリンダ４との間には、鉄製のワッシャー１０，１２に挟持されるリング１１が配置されている。このリング１１は、ポリエステルエラストマー等からなる耐熱性に優れた合成樹脂により形成されるもので、ビットを装着した状態では、ワッシャー１０に当接する中間子９へビットから加わる反動を緩和すると共に、空打ち時には、前方へ飛び出した打撃子５の先端を把持してピストン６との連動を遮断する機能を備えている。
【０００７】
次にビットの装着構造の詳細を説明する。前記ツールホルダ８の先端部外周には軸方向にスプライン溝８ａが形成され、そのスプライン溝８ａに、スライドカバー１４の前半分の小径部１５がスプライン結合しており、このスライドカバー１４の後半分は、拡開部１５ａを介して筒状の大径部１６を形成している。よってスライドカバー１４は、前後方向には単独でスライド移動可能であるが、回転はツールホルダ８と一体となる。又前記大径部１６とツールホルダ８との間には、ツールホルダ８の前方部が貫通する透孔１８ａを備え、スライドカバー１４の拡開部１５ａへ当接するロック部１８と、そのロック部１８から大径部１６と非接触で後方へ延設され、前記ツールホルダサポート２に遊挿されるリング部１９とからなるスライドリング１７が配置されている。更に前記スライドリング１７のリング部１９と前記大径部１６との間には、後端２０ａがツールホルダサポート２の略中間位置へ周設された突条２ａと係止して後方への移動を規制されるスリーブ２０が介在されて、スライドカバー１４とスライドリング１７とのスライドをガイドすると共に、前記後端２０ａとリング部１９との間に収納された圧縮スプリング２１によって、スライドリング１７を前方へ付勢し、ロック部１８がスライドカバー１４の拡開部１５ａを押圧して、スライドカバー１４が工具最先端のラバーキャップ２６に当接する最前方位置へ付勢している。よってここでのスライドカバー１４とスライドリング１７とは一体に前後移動可能となっている。
一方同じく圧縮スプリング２１に付勢されるスライドリング１７は、その最前方位置ではロック部１８が、図３に示すように第１のロック機構としてツールホルダ８へ点対称に設けた透孔２２，２２内で放射方向へ前後移動可能に収納されたローラ２３，２３を軸心方向へ押圧して、ツールホルダ８の内周へ突出させるものとなり、又リング部１９も、最前方位置では図４に示す如く、第２のロック機構としてツールホルダサポート２の先端に点対称に設けた透孔２４，２４内で放射方向へ前後移動可能に挿入されたボール２５，２５を軸心方向へ押圧し、ツールホルダサポート２の内周へ突出させるものとなっているが、特にリング部１９はその内周面の前方側に、リング状の凹溝１９ａを備えている。そしてボール２５，２５の位置に対応するツールホルダ８の外周には、ボール２５，２５が嵌合する複数の嵌合溝８ｂ，８ｂ・・が等間隔で形成されている。
【０００８】
以上の如く構成された電動ハンマー１においては、ビット１３を装着する際、スライドカバー１４を把持し、圧縮スプリング２１の付勢に抗して後方へスライドさせ、スライドカバー１４と一体に後退するスライドリング１７のロック部１８がツールホルダサポート２の先端と当接する最後方位置まで後退させると、図２（Ａ）のようにロック部１８はローラ２３の後方位置に、リング部１９は前記凹溝１９ａがボール２５，２５の外周位置に夫々移動し、ローラ２３，２３、ボール２５，２５は夫々放射方向へフリーとなる。そこでビット１３を、その外周軸方向へ点対称に形成した溝１３ａ，１３ａをローラ２３，２３の位置と夫々一致させて押し込むと、ローラ２３，２３は拡開方向へ退避するから、ビット１３の挿入の妨げにならず、中間子９がワッシャー１０に当接して停止する二点鎖線の位置までツールホルダ８内へ押込むことができる。  そしてスライドカバー１４から手を離すと、図２（Ｂ）の如く圧縮スプリング２１の付勢でスライドカバー１４は元の位置へ復帰し、同時に前進したスライドリング１７のロック部１８が、再びローラ２３，２３を軸心方向へ押圧してツールホルダ８内へ突出させると共に、リング部１９もボール２５，２５を軸心方向へ押圧してツールホルダサポート２内へ突出させるから、ローラ２３，２３がビット１３の溝１３ａ，１３ａに嵌合してビット１３はツールホルダ８と一体回転可能にロックされ、軸方向へは溝１３ａの前後端がローラ２３と係止するストローク分は移動可能となり、ツールホルダ８は、その嵌合溝８ｂ，８ｂへボール２５，２５が再び嵌合して回転のロックがなされる。よってここで電動ハンマーとしての使用が可能となる。
【０００９】
そしてビット１３の周方向の角度を変更する場合は、図２（Ｃ）の如くスライドカバー１４を前記最後方位置まで後退させると、スライドリング１７におけるリング部１９の凹溝１９ａがボール２５，２５の外周に位置し、ボール２５，２５の放射方向への移動を許容するから、そのままスライドカバー１４を回転させると、ツールホルダ８外周の嵌合溝８ｂ，８ｂからボール２５，２５が退避してツールホルダ８が一体に回転し、装着されるビット１３も一体回転する。よってスライドカバー１４の回転操作によってビット１３を適切な角度へ簡単に調整することができる。角度調整が終了すると、スライドカバー１４を離せば、前進したスライドリング１７のリング部１９が再びボール２５，２５を押圧して、その位置で合致するツールホルダ８の嵌合溝８ｂ，８ｂへ嵌合させて回転をロックする。このように本実施例では、スライドカバー１４のみの後退と回転操作でビット１３の着脱とその角度調整が共に行え、良好な操作性が得られる。特にここでのスライドカバー１４は後退操作のみであるから、より操作は簡単となる。
尚ここでは後退させたスライドカバー１４を一旦戻してからビットの角度調整を行う手順を説明したが、勿論図２（Ａ）での最初のビット挿入時に、後退させたスライドカバー１４をそのまま回転させてビットの角度調整を行うことも可能である。
【００１０】
又上記実施例ではスライドリング１７の最後退によってボール２５のロックを解除すると同時にローラ２３のロックも解除される構造であるが、例えばスライドリング１７の中間後退位置でローラ２３はロックしたままボール２５のロックのみを解除し、最後退位置でボール２５とローラ２３の両方をロック解除するように、凹溝１９ａとボール２５との相対位置等を変更して、スライドリング１７の後退位置によってロック状態を選択させることも可能である。
【００１１】
【発明の効果】
以上本発明によれば、ビットの装着後でもビットの角度調整が行えるのは勿論、スライド部材のスライド操作でビットの着脱と角度調整の両方が行えるから、操作手順に無駄がなく良好な操作性を維持できる。又２つのロック部材を動作させるスライド部材が共通であるから、部品点数も少なく、コストアップを抑えた合理的な構成となる。
又スライド部材を第１のスライド位置と第２のスライド位置との中間位置で、第１のロック部材を押圧した状態で第２のロック部材の押圧のみを解除可能とすると、第２のロック部材の押圧解除時には、そのままスライド部材を回転させればツールホルダとビットを回転させることができ、角度調整の操作がより良好となる。
更にスライド部材を第１のスライド位置へ付勢されるものとすると、ビットの装着と角度変更が夫々スライド部材の一方向へのスライドによって行えるものとなり、操作性の一層の向上が期待できる。
【図面の簡単な説明】
【図１】電動ハンマーの一部縦断面図である。
【図２】（Ａ）ビットの装着動作を示す説明図である。
（Ｂ）ビットの装着動作を示す説明図である。
（Ｃ）ビットの装着動作を示す説明図である。
【図３】Ａ−Ａ線端面図である。
【図４】Ｂ−Ｂ線端面図である。
【符号の説明】
１・・電動ハンマー、２・・ツールホルダサポート、３・・バレル、４・・シリンダ、５・・打撃子、６・・ピストン、７・・空気室、８・・ツールホルダ、９・・中間子、１３・・ビット、１４・・スライドカバー、１７・・スライドリング、１８・・ロック部、１９・・リング部、２０・・スリーブ、２１・・圧縮スプリング、２３・・ローラ、２５・・ボール。
【図１】
0003602601.tif 000002
【図２】
0003602601.tif 000003
【図３】
0003602601.tif 000004
【図４】
0003602601.tif 000005